(57)【要約】【課題】使用者がどのような位置に立った場合でも、その位置に拘りなく充分に機能を発揮するバランス調整能力養成具を提供することを課題とする。【解決手段】円盤状の上面部材１０の表面には上方に屹立する複数個の突起部１２が配設されている。２の突起部１２の長さは、上面部材１０の中心に近くなるほど長くなるように選ばれている。円筒状の側壁部材３０の直径は、上面部材１０の直径よりも小さい値に選ばれている。上面部材１０と側壁部材との間には折曲部材１１が配設されている。上面部材１０と同形の下面部材と側壁部材３０との間には折曲部材２１が配設されている。【選択図】  図１
0003109142.tif 000002
【実用新案登録請求の範囲】
【請求項１】
合成樹脂や天然ゴム等の柔軟性を有する変形可能な材料によって形成されるバランス調
整能力養成具であって、
円盤状の上面部材と、該上面部材と同形の下面部材と、前記上面部材の直径よりも小さ
い直径を有する円筒状の側壁部材と、前記上面部材の周縁部と前記側壁部材の上縁部との
間に配設された折曲部材と、前記下面部材の周縁部と前記側壁部材の下縁部との間に配設
された折曲部材とによって内部に形成される空間が密封状態となるように構成されている
ことを特徴とするバランス調整能力養成具。
【請求項２】
前記上面部材の表面には、上方に屹立する複数個の突起部が略全面に亘って配設されて
いることを特徴とする請求項１に記載のバランス調整能力養成具。
【請求項３】
前記突起部の長さは、前記上面部材の中心に近づくに従って長くなるように選ばれてい
ることを特徴とする請求項２に記載のバランス調整能力養成具。
【考案の詳細な説明】
【技術分野】
【０００１】
本考案は、スポーツ等の分野で身体のバランス調整能力を向上させるために用いられる
バランス調整能力養成具に関するものである。
【背景技術】
【０００２】
図７は、従来のバランス調整能力養成具１の構成を示した斜視図であり、図８（ａ）は
その側面図、図８（ｂ）は側面から視た断面図、図８（ｃ）は図８（ｂ）に示した断面図
の端部の拡大図である。
【０００３】
図７および図８に示したように、従来のバランス調整能力養成具１は、偏平な中空円柱
状に形成されており、その上面部には複数個の突起部２が形成されている。
【０００４】
このバランス調整能力養成具１は、ビニール等の合成樹脂や天然ゴム等の柔軟性を有す
る変形可能な材料によって内部空間が密封状態となるように構成されている。
【０００５】
図７に示したように、バランス調整能力養成具１の上面には、空気注入口３が配設され
ている。この空気注入口３を用いて外部から内部にポンプで空気を注入する。
【０００６】
以上のように構成されたバランス調整能力養成具１の上に使用者が立った場合には、足
裏に密着している面が変形可能で不安定であるために、使用者は身体のバランスを微妙に
調整し続けなければ、立った姿勢を維持することはできない。従って、このバランス調整
能力養成具１の上に長時間に亘って立つことができるように努力することによって、使用
者は自らのバランス調整能力を向上させることができる。
【０００７】
ここで、バランス調整能力養成具１の上面部の突起部２は、使用者のバランスが移動し
たときにその変化を足裏に加わる圧力の変化として使用者に敏感に知覚させるために配設
されているものである。
【考案の開示】
【考案が解決しようとする課題】
【０００８】
しかしながら、従来のバランス調整能力養成具１においては、使用者がトレーニング中
にバランス調整能力養成具１上で移動して使用者の踵が上面部の周縁付近に位置したとき
に以下のような問題が生じる。
【０００９】
その問題とは、図９に示したように、使用者Ａの踵がバランス調整能力養成具１の上面
部の周縁部付近に位置している状態において、使用者Ａの身体のバランスが崩れその重心
が後方に移動して所謂「踵体重」になった場合、バランス調整能力養成具１の側面部が変
形してバランス調整能力養成具１の厚みが薄くなり、バランス調整能力養成具１の上面部
になだらかな傾斜が形成されてしまう。このような状態においては、使用者Ａの足裏全体
がバランス調整能力養成具１の上面部に密着することとなり、この部分の摩擦力によって
バランスを正常な状態に戻さなくても使用者Ａは立った姿勢を維持することができる。
【００１０】
すなわち、従来のバランス調整能力養成具においては、使用者の立つ位置によっては、
その機能が充分に発揮されないという問題があった。
【課題を解決するための手段】
【００１１】
以上の問題点を解決するために本考案は、合成樹脂や天然ゴム等の柔軟性を有する変形
可能な材料によって形成されるバランス調整能力養成具であって、円盤状の上面部材と、
該上面部材と同形の下面部材と、前記上面部材の直径よりも小さい直径を有する円筒状の
側壁部材と、前記上面部材の周縁部と前記側壁部材の上縁部との間に配設された折曲部材
と、前記下面部材の周縁部と前記側壁部材の下縁部との間に配設された折曲部材とによっ
て内部に形成される空間が密封状態となるように構成されていることを特徴とするもので
ある。
【００１２】
ここで前記上面部材の表面には、上方に屹立する複数個の突起部が略全面に亘って配設
されるようにしてもよいし、さらに前記突起部の長さは、前記上面部材の中心に近づくに
従って長くなるように選んでもよい。
【考案の効果】
【００１３】
本考案によれば、使用者がどのような位置に立った場合でも、その位置に拘りなく充分
に機能を発揮するバランス調整能力養成具を提供することができる。
【考案を実施するための最良の形態】
【００１４】
以下、図面を用いて本考案の実施例について説明する。
【実施例１】
【００１５】
図１は、本考案の実施例１の構成を示す斜視図であり、図２（ａ）はその側面図、図２
（ｂ）は側面から視た断面図、図２（ｃ）は図２（ｂ）に示した断面図の端部の拡大図で
ある。
【００１６】
図１および図２において、１０は円盤状の上面部材、１１は折曲部材、３０は側壁部材
、２１は折曲部材、２０は上面部材１０と同形の下面部材である。ここで上面部材１０の
表面には、その略全面に亘って上方に屹立している複数個の突起部１２が配設されている
。
【００１７】
本実施例１は、ビニール等の合成樹脂や天然ゴム等の柔軟性を有する変形可能な材料に
よって内部に形成される空間が密封状態となるように構成されている。なお、本実施例１
においても、従来例と同様な空気注入口を設ける構成としてもよい。
【００１８】
ここで、円筒状の側壁部材３０の直径は、円盤状の上面部材１０の直径よりも小さな値
となるように選ばれている。この側壁部材３０の上縁部と上面部材１０の周縁部との間に
は折曲部材１１が配設されており、側壁部材３０の下縁部と下面部材２０の周縁部との間
には折曲部材２１が配設されている。
【００１９】
また、本実施例１の上面部材１０の表面に配設されている複数個の突起部１２の長さは
、上面部材１０の中心に近づくに従って長くなるように選ばれている。このように突起部
１２の長さを選んだ理由は、図３に示すように、上面部材１０の中央部分に使用者の足Ｆ
を位置させた場合、図４に示すように足裏の「土踏まず」の部分にも突起部１２が圧接す
るようにするためである。
【００２０】
以上のように構成された本実施例１においては、図３に示すような適正な位置に使用者
が立っている場合、すなわち、図５に示すように使用者Ａが立っている場合、足Ｆの裏面
の「土踏まず」を含む全面に亘って突起部１２が圧接しているために、使用者Ａは身体の
バランスが移動したときに、その変化を足裏全面に加わる圧力の変化として従来例に比し
て一層敏感に知覚することができる。例えば、図６に示したように使用者Ａの重心が後方
に移動して所謂「踵体重」の状態になった場合には、足Ｆの「つま先」の部分の裏面に加
わる圧力が著しく小さくなるので、使用者Ａはこの「踵体重」の状態を瞬時に知覚するこ
とができて身体のバランスを正常な状態に戻すべく身体を動かすことができる。
【００２１】
さらに、本実施例１においては、側壁部材３０と上面部材１０との間に折曲部材１１が
配設されているので、上面部材１０の周辺部分に使用者の足の踵が位置している状態で所
謂「踵体重」になった場合、折曲部材１１のみが変形して側壁部材３０は殆ど変形しない
。従って、本実施例１の厚み（高さ）の変化は従来例に比して著しく小さく、従来例のよ
うに使用者の足裏が密着するなだらかな傾斜を上面部材１０が形成するようなことはない
。換言すれば、本実施例１においては、使用者の足が上面部材１０上のどこの位置にあろ
うともバランス調整能力養成具としての機能を充分に発揮することができる。
【図面の簡単な説明】
【００２２】
【図１】本考案の実施例１の構成を示す斜視図である。
【図２】本考案の実施例１の構成の説明図である。
【図３】本考案の実施例１の動作のの説明図である。
【図４】本考案の実施例１の動作のの説明図である。
【図５】本考案の実施例１の動作のの説明図である。
【図６】本考案の実施例１の動作のの説明図である。
【図７】従来のバランス調整能力養成具の構成を示す斜視図である。
【図８】従来のバランス調整能力養成具の構成の説明図である。
【図９】従来のバランス調整能力養成具の動作の説明図である。
【符号の説明】
【００２３】
１０  上面部材
１１，２１  折曲部材
１２  突起部
２０  下面部材
３０  側壁部材
Ａ  使用者
Ｆ  足
【図１】
0003109142.tif 000003
【図２】
0003109142.tif 000004
【図３】
0003109142.tif 000005
【図４】
0003109142.tif 000006
【図５】
0003109142.tif 000007
【図６】
0003109142.tif 000008
【図７】
0003109142.tif 000009
【図８】
0003109142.tif 000010
【図９】
0003109142.tif 000011